(57)【要約】【課題】構造が簡単でかつ静電的な米と糠の分離と集塵の機能が安定したものとする。【解決手段】多孔容器１内に入れた米３に回転羽根２を働かせて精米またはおよび無洗米化を行うのに、交流電源１１にて働き、多孔容器１内で生じる糠４と、この糠４を集塵する集塵部５を逆極性に帯電させる帯電極１２、１３を設け、多孔容器１内の糠４を多孔容器１の透孔１ａを通じ集塵部５側に静電的に吸着して集塵するようにして、上記の目的を達成する。【選択図】  図１
2004290816.tif 000002
【特許請求の範囲】
【請求項１】
多孔容器内に入れた米に回転羽根を働かせて精米またはおよび無洗米化を行う精米機において、
交流電源で動作する高圧反省回路にて働き、多孔容器内で生じる糠と、この糠を集塵する集塵部を逆極性に帯電させる帯電極を設け、多孔容器内の糠を多孔容器の透孔を通じ集塵部側に静電的に吸着して集塵するようにしたことを特徴とする精米機。
【請求項２】
一方の帯電極は多孔容器、他方の帯電極は集塵部である請求項１に記載の精米機。
【請求項３】
集塵部とそれを帯電させる印加電極との電気的な接続は、多孔容器から隔離された領域にて行う請求項２に記載の精米機。
【請求項４】
多孔容器は着脱でき、多孔容器とそれを帯電させる印加電極との電気的な接続は、多孔容器を精米機の本体に装着することで行う請求項２、３のいずれか１項に記載の精米機。
【請求項５】
集塵部は多孔容器よりも低く設ける請求項２〜４のいずれか１項に記載の精米機。
【請求項６】
糠は−帯電、集塵部は＋帯電である請求項１〜５のいずれか１項に記載の精米機。
【請求項７】
多孔容器および集塵部は着脱でき、集塵部の装着によって各帯電極への電圧印加が行えるようにする請求項１〜６のいずれか１項に記載の精米機。
【請求項８】
多孔容器内に入れた米に回転羽根を働かせて精米またはおよび無洗米化を行う精米機において、
多孔容器内で帯電される糠とは逆極性となるように電圧印加を受ける集塵部を多孔容器の外側に設け、多孔容器内の糠を多孔容器の透孔を通じて吸着し集塵するようにしたことを特徴とする精米機。
【発明の詳細な説明】
【０００１】
【発明の属する技術分野】
本発明は主として家庭で精米またはおよび無洗米化を行うのに適した精米機に関するものである。
【０００２】
【従来の技術】
家庭向けの精米機で、多孔容器内に入れた米に回転羽根を働かせて精米またはおよび無洗米化を行うのに、糠や微粒子を静電的な吸着によって米粒から分離し、白米や無洗米が得られるようにしたものが既に知られている（例えば、特許文献１、２参照。）。
【０００３】
特許文献１に記載のものは、多孔容器内で発生する糠や澱粉質の微粒子を空気流によって多孔容器外回りの排気通路を通じて排出し除去するのに併せ、米に混合させている米粒よりも大きな帯電性の球体によって、米粒になお付着している超微粒子を吸着して米粒から分離し、球体よりも小さな米だけを多孔容器から外部に排出できるようにしている。
【０００４】
特許文献２に記載のものは、米粒から肌糠を取り除く肌糠除去手段として、回転羽根の肌糠除去のための回転方向に向く側の面にブラシを設け、肌糠除去操作時にこのブラシが米粒と接触して肌糠を除去するようにしている。これに併せ、さらに、糠受け容器を装着する凹部内に帯電板を設け、肌糠除去操作時に＋帯電されて、通常−に帯電されている肌糠を吸引することで、白米と肌糠を分離し糠の白米への再付着を防止するようにしている。
【０００５】
【特許文献１】
特開平０１−２１８６４２号公報
【０００６】
【特許文献２】
特開２００２−２９２２９３号公報
【０００７】
【発明が解決しようとする課題】
しかし、特許文献１、２に記載のいずれのものも、摩擦帯電を利用して米粒と糠類との静電的な分離を行っている。
【０００８】
特許文献１に記載のものは、米および糠類が混在する多孔容器内に帯電性の球体を入れて摩擦帯電させ、その表面に超微粒子を吸着し米から分離するものであるため、超微粒子と球体が異極で、球体と米粒が同極となる摩擦帯電序列を満足する必要がある。しかし、米粒、超微粒子、球体は互いに接触して摩擦し合うし、それらの接触対象として内槽や攪拌体、ブラシも加わる。従って、前記のような条件設定は困難であり、かつそのような条件に安定させにくく、分離機能を不安定にする。また、超微粒子を静電分離しても球体に付着して多孔容器内に残ったままで集塵作業が別に必要になる。
【０００９】
特許文献２に記載のものは、金属製の多孔容器内で金属製の回転羽根によって攪拌され、互いが接触し合うときに研ぎ取られる糠が−に帯電する経験から、糠受け容器を装着する凹部内に設けた帯電板を肌糠除去のための独自な回転操作によって＋帯電させて分離および集塵をするようにしている。しかし、帯電板を＋帯電させる部材が逆極性に帯電するので、この部材が多孔容器側の糠類に働かないようにするといった配慮が必要で、構造が複雑になり、設計自由度が低下する。
【００１０】
本発明の目的は、構造が簡単でかつ静電的な米と糠の分離と集塵の機能が安定した精米機を提供することにある。
【００１１】
【課題を解決するための手段】
本発明の精米機は、多孔容器内に入れた米に回転羽根を働かせて精米またはおよび無洗米化を行う精米機において、交流電源で動作する高圧発生回路にて働き、多孔容器内で生じる糠と、この糠を集塵する集塵部を逆極性に帯電させる帯電極を設け、多孔容器内の糠を多孔容器の透孔を通じ集塵部側に静電的に吸着して集塵するようにしたことを１つの特徴としている。
【００１２】
このような構成では、多孔容器内に入れた米に回転羽根を働かせて精米またはおよび無洗米化を行うのに、逆極性で働く帯電極により多孔容器内で生じる糠と集塵部とを逆極性に強制帯電させるので、糠と集塵部とに所定の電位差を安定して与え、多孔容器内で生じる糠を多孔容器の透孔を通じ集塵部側に吸引して、多孔容器内の米および多孔容器から静電的に確実に分離し、同時に、集塵部に集塵することができ、無洗米化に特に有効である。また、多孔容器の手入れも簡単になる。しかも、帯電極は交流電源によって働くので、家庭の電源コンセントからの給電によって手軽に使用することができ、構造が簡単で使用しやすく安価なものとなる。
【００１３】
帯電極は多孔容器および集塵部とは別のものとして設けることはできる。しかし、一方の帯電極が多孔容器、他方の帯電極が集塵部である、さらなる構成では、
多孔容器自体、集塵部自体でその条件を満足することができ、特別な部材が要らないので、構造がより簡単でより安価なものとなる。また、帯電電荷の印加に好適な金属製として問題がなく好適である。
【００１４】
集塵部とそれを帯電させる印加電極との電気的な接続はどこで行ってもよいが、多孔容器から隔離された領域にて行う、さらなる構成では、
集塵部と印加電極との電気的な接続を多孔容器から隔離された領域にて行うので、多孔容器側で生じる糠が、前記静電的な分離、集塵にかかわらず、一部まわりに飛散するようなことがあっても、集塵部と印加電極との間に入り込んだり、付着したりするのを防止するので、双方の電気的な接続を常に確保することができる。
【００１５】
多孔容器とそれを帯電させる印加電極との電気的な接続はどのようにして行ってもよいが、着脱できる多孔容器を精米機の本体に装着することで行う、さらなる構成では、
多孔容器の装着がないのに、それを帯電させる印加電極が無駄に働かされるようなことを防止することができる。
【００１６】
集塵部を多孔容器よりも低く設ける、さらなる構成では、
多孔容器内で生じる糠を多孔容器よりも低い集塵部に吸引して、分離、集塵をするので、多孔容器内で生じる糠が上部に飛散するのを抑制または阻止することができ、糠が蓋まわりに付着したり、蓋を省略する場合に外部に飛散したりするようなことを防止することができる。
【００１７】
糠は−帯電、集塵部は＋帯電である、さらなる構成では、
強制帯電させるにも、糠が通常−帯電されることを利用して必要な印加電圧を低減して、集塵部との所定の電位差を確保しやすくすることができる。
【００１８】
多孔容器および集塵部は着脱でき、集塵部の装着によって各帯電極への電圧印加が行えるようにする、さらなる構成では、
多孔容器の装着があっても集塵部の装着がないとき、各帯電極が働かなくするので、集塵部がないのに精米操作が行われて、集塵部のない部分に糠の分離、集塵が行われたり、帯電極自体である集塵部の装着がなく、糠の分離、集塵作用のない状態で精米操作が行われたりする不都合を回避することができる。
【００１９】
本発明の精米機は、また、多孔容器内に入れた米に回転羽根を働かせて精米またはおよび無洗米化を行う精米機において、多孔容器内で帯電される糠とは逆極性となるように電圧印加を受ける集塵部を多孔容器の外側に設け、多孔容器内の糠を多孔容器の透孔を通じて吸着し集塵するようにしたことを他の特徴としている。
【００２０】
このような構成では、多孔容器内に入れた米に回転羽根を働かせて精米またはおよび無洗米化を行うのに、多孔容器内で生じる糠が自然帯電またはおよび帯電極によって強制帯電されるのに対し、集塵部をそれと逆極性に強制帯電させるので、糠と集塵部とに所定の電位差を安定して与え、多孔容器内で生じる糠を多孔容器の透孔を通じ集塵部側に吸引して、多孔容器内の米および多孔容器から静電的に確実に分離し、同時に、集塵部に集塵することができ、無洗米化に特に有効である。また、多孔容器の手入れも簡単になる。しかも、帯電極は交流電源によって働くので、家庭の電源コンセントからの給電によって手軽に使用することができ、構造が簡単で使用しやすく安価なものとなる。
【００２１】
本発明のそれ以上の目的および特徴は、以下の詳細な説明および図面の記載から明らかになる。本発明の各特徴はそれ単独で、あるいは可能な限り種々な組合せで複合して用いることができる。
【００２２】
【実施例】
以下、本発明に係る精米機の実施例について図１、図２を参照しながら詳細に説明し本発明の理解に供する。
【００２３】
本実施例の精米機は、図１に示すように多孔容器１内に入れた米に回転羽根２を働かせて精米またはおよび無洗米化を行うもので、主として家庭で用いられる小型かつ簡易な精米機である。具体的には、例えば、回転羽根２は耐久性上から金属製がよく、図１に示すように多孔容器１の底部に位置し、ボス部２ａから主羽根２ｂが直径線上で両側に延び、その先端に互いに逆な向きに斜めに立ち上がる副羽根２ｃが形成されている。この回転羽根２が多孔容器１内の米３に働くと、遠心力によって米３を撹乱させながら、大きくは図１に実線の矢印で示すように旋回流を生じさせるが、副羽根２ｃの傾斜によって米３を多孔容器１の胴部１ｃの近傍で上向に流動させる。上向きに流動した米は回転羽根２から遠くなるほどその働きが弱まるので、上向きの流動域を避けた内側に向かって自重で落ちようとして、概ね破線の矢印で示すような対流を生み、回転羽根２の働きを繰り返し受ける。これによって、米３は互いの接触と多孔容器１との接触によって表面をとがれ、多孔容器１の透孔１ａによる糠４の集塵部５への排出作用を伴い、玄米は白米になり、白米は表面に残る糠類を除去されて無洗米となる。
【００２４】
多孔容器１は耐久性上から金属製がよく、糠４の排出作用のために米３を通さず、かつ噛み込まない大きさであるが、できるだけ大きく滑らかで糠４を排出しやすい透孔１ａのあるものが好適である。従って、多孔容器１はパンチング板や金網などで形成してよいが、本例ではステンレス鋼製のラス網で形成した籠を用いている。ラス網は線材の交差、重なりがなく、糠４や米粉、細米を噛み込まないのでそれらを排出しやすく、また、清潔に保ちやすい。しかし、通常のラス網では網目が立体的でしかも角が鋭く、米３を傷めやすいので、透孔１ａである網目をプレス加工などによって扁平化するとともに角をブラスト加工などによって丸くする処理をしている。これによって、糠４の類いを排出しやすく、かつ接触する米３を適度にとぐことができる。
【００２５】
また、多孔容器１内で発生する糠４や澱粉粉などの微粒子、超微粒子は、精米操作中多孔容器１内で飛散し、多孔容器１外にも及ぶ。そこで、蓋６を装着して糠４などの外部への飛散を防止し、かつ、外に飛び出すことのある米３を多孔容器１内に閉じ込められるようにしている。
【００２６】
しかし、米３の旋回流、対流による遠心力や振り落とし力だけで、精米中に生じる糠４を多孔容器１の透孔１ａを通じて外部に自然排出するのでは、排出効率はまだ低く、精米した白米を研ぎ洗う際の水の濁り度が高くなる。従って、洗米に時間がかかるし、白米の初期浸漬時の吸水率が高く濁り水の吸水で米の食味が低下しやすい。特に、白米を無洗米化す際は米３の表面に僅かに付着し、また窪みに沈着している糠４や微粒子を洗米が不要な程に研ぎ落す必要があるので、糠４などの排出効率が悪いと無洗米化に長い時間かかるし、完全な無洗米化ができないことも生じるので大きな問題である。
【００２７】
そこで、既述したような摩擦帯電を利用した米３と糠４や超微粒子などとの分離を図ることが試みられているが、まだ、満足できるものではなく実用に向かない。
【００２８】
これを解消するのに本実施例では、図１、図２に示すように、多孔容器１内に入れた米３に回転羽根２を働かせて精米またはおよび無洗米化を行うのに、図２に示すような交流電源１１にて働き、多孔容器１内で生じる糠４と、この糠４を集塵する集塵部５を逆極性に帯電させる帯電極１２、１３を設け、多孔容器１内の糠４を多孔容器１の透孔１ａを通じ集塵部５側に静電的に吸着して集塵するようにしている。これにより、多孔容器１内に入れた米３に回転羽根２を働かせて精米またはおよび無洗米化を行うのに、逆極性で働く帯電極１２、１３により多孔容器１内で生じる糠４と集塵部５とを逆極性に強制帯電させる。このため、糠４と集塵部５とに所定の電位差を安定して与えられ、多孔容器１内で生じる糠４を多孔容器１の透孔１ａを通じ集塵部５側に吸引して、多孔容器１内の米３および多孔容器１から静電的に確実に分離し、同時に、集塵部５に集塵することができる。従って、無洗米化に特に有効である。また、多孔容器１の手入れも簡単になる。しかも、帯電極１２、１３は交流電源１１によって働くので、家庭の電源コンセント１４からの給電によって手軽に使用することができ、構造が簡単で使用しやすく安価なものとなる。
【００２９】
帯電極１２、１３は多孔容器１および集塵部５とは別のものとして設けることはできる。しかし、本実施例では、図１、図２に示すように一方の帯電極１２を多孔容器１、他方の帯電極１３を集塵部５とすることにより、多孔容器１自体、集塵部５自体でその条件を満足することができ、特別な部材が要らないので、構造がより簡単でより安価なものとなる。また、帯電電荷の印加に好適な金属製として問題がなく好適である。
【００３０】
集塵部５とそれを帯電させる印加電極１５との電気的な接続はどこで行ってもよいが、本実施例では、図１、図２に示すように多孔容器１から隔離された領域、具体的には集塵部５自体が隔離している多孔容器１との非対面側で行っている。このように、集塵部５と印加電極１５との電気的な接続を多孔容器１から隔離された領域にて行うと、多孔容器１側で生じる糠４などが、前記静電的な分離、集塵にかかわらず、一部まわりに飛散するようなことがあっても、集塵部５と印加電極１５との間に入り込んだり、付着したりするのを防止するので、双方の電気的な接続を常に確保することができる。
【００３１】
また、多孔容器１とそれを帯電させる印加電極１６との電気的な接続はどのようにして行ってもよいが、着脱できる多孔容器１を精米機の本体１７に図１に示すように装着することで行うようにしている。これにより、多孔容器１の装着がないのに、それを帯電させる印加電極１６が無駄に働かされるようなことを防止することができる。
【００３２】
さらに、集塵部５を多孔容器１よりも低く設けてある。これにより、多孔容器１内で生じる糠４を図２に矢印で示すように多孔容器１よりも低い集塵部５に向け吸引して、分離、集塵をすることになる。従って、多孔容器１内で生じる糠４などが上部に飛散するのを抑制または阻止することができ、糠４などが蓋６の内側まわりに付着したり、蓋６を省略する場合に外部に飛散したりするようなことを防止することができる。
【００３３】
なお、糠４は−帯電、集塵部５は＋帯電するように帯電極１２、１３の極性を設定してある。このようにすると、糠４および集塵部５を強制帯電にて所定の電位差を持たせるにも、糠４が通常−帯電されることを利用して必要な印加電圧を低減して、集塵部５との所定の電位差を確保しやすくすることができる。もっとも、糠４および集塵部５を強制帯電にて所定の電位差を持たせるのに、糠４側は摩擦による自然帯電によって強制帯電を省略するようにしてもよい。
【００３４】
また、多孔容器１および集塵部５は着脱でき、集塵部５の図１に示すような装着によって各帯電極１２、１３への電圧印加が行えるようにする。これによって、多孔容器１の装着があっても集塵部５の装着がないとき、各帯電極１２、１３が働かなくするので、集塵部５がないのに精米操作が行われて、集塵部５のない部分に糠４の分離、集塵が行われたり、帯電極１３自体である集塵部５の装着がなく、糠４の分離、集塵作用のない状態で精米操作が行われたりする不都合を回避することができる。また、そのような不正常な状態であることを使用者に気付かせやすい。
【００３５】
以下、図示するところに従って、さらに詳細に説明する。図１に示すように、回転羽根２は多孔容器１の底部に固定した座体２１によって回転できるように支持され、多孔容器１と一体に取り扱われる。多孔容器１は駆動機構２２を持った本体１７に装着して駆動機構２２と連結し、回転羽根２が回転駆動されるようにしている。本体１７の多孔容器１を装着する部分は凹部２４となっている。しかし、これに限られることはない。凹部２４には集塵部５をなす糠受け容器２５が上方から着脱できるように嵌め込まれる。しかし、集塵部５をなす糠受け容器２５は多孔容器１の底部の外まわりに、それよりも低く設ける関係から、万一にも糠受け容器２５の上部外まわりに糠４などが飛散することが考えられる。そこで、この糠受け容器２５の外側に多孔容器１とほぼ同じ高さの補助容器２６を嵌め合わせて、糠受け容器２５での静電的な糠４の米３および多孔容器１からの分離、集塵作用にかかわらず、糠受け容器２５の上部外まわりに飛散しようとする糠４を捕集できるようにしている。従って、これら補助容器２６および糠受け容器２５が集塵部５を形成しており、多孔容器１を上方から着脱できるように嵌めこみ支持するようにしている。なお、糠受け容器２５、多孔容器１は必要に応じて回り止めする。
【００３６】
本体１７は合成樹脂製で、モータ２７およびこれの駆動プーリ２８とベルト２９で連結された従動プーリ３１を支持した底部１７ａと、前記凹部２４を持った肩部１７ｂと、底部１７ａと肩部１７ｂとを繋ぐ胴部１７ｃとで構成し、必要な形態および大きさのものとしている。しかし、どのように構成されてもよい。従動プーリ３１には駆動軸３２によって駆動側カップリング３３が連結されている。この駆動側カップリング３３は本体１７の凹部２４の底部内に臨んで、多孔容器１の回転羽根２との連結を図るようにしている。
【００３７】
この連結のために、補助容器２６は合成樹脂製でその底部の中央に前記駆動側カップリング３３を、多孔容器１の回転羽根２に連結した従動側カップリング３４と対向させる筒壁２６ａを有している。多孔容器１は凹部２４内で補助容器２６の筒壁２６ａの上に載って支持された状態で、従動側カップリング３４が駆動側カップリング３３と噛合いモータ２７によって回転駆動される状態となる。ここで、補助容器２６は合成樹脂製としてあり、その筒壁２６ａは、金属製で逆極性の帯電極１２、１３となる多孔容器１と糠受け容器２５とに放電を起こさないだけの絶縁距離を与える役目をしている。しかし、絶縁構造はどのようにしてもよい。
【００３８】
本体１７の肩部１７ｂにおける凹部２４の開口２４ａの横に操作パネル４０を有し、精米機のオン、オフの他、精米モードと無洗米モードが設定できるようにしている。精米モードでは回転羽根２の回転が速く、無洗米モードでは回転を遅くする。
【００３９】
多孔容器１は上端開口１ｂにステンレス鋼製の口金４１を溶接付けしてある。口金４１は胴部１ｃの上端と外面が面一になるように嵌り合う段部４１ａを有して、網構造の端部が露出する危険を防止し、上端のフランジ４１ｂによって多孔容器１の上端開口１ｂまわりの曲げ剛性を高め、取り扱いやすくしている。また、多孔容器１は糠受け容器２５外まわりの、補助容器２６の筒壁２６ａの上に載っており、座体２１によって網目を覆い、糠類が筒壁６５ａの内側に漏れ出るのを防止している。糠受け容器２５もステンレス鋼製とするのが清潔に保ちやすいので好適である。
【００４０】
多孔容器１は、回転羽根２を米３に効率よく働かせるために、回転羽根２の下部と外まわりとに米３を噛み込まず、詰まらせないための隙間Ｓを形成する大きさおよび形状を有し、回転羽根２が米３に働く領域の少し上の部分で外に広がる傾斜部１ｅを経て真っ直ぐに立ち上がるようにして、米３の流動域を横に拡張して回転羽根２の働きを受けた米３が流動しやすく、かつ流動かさが低くなるようにしている。また、多孔容器１の中心部に至るほど、米３に対する回転羽根２の働きが弱く、また及ばないので、この部分に米３が移動するのを邪魔するガイド軸２ｄをボス部２ａに形成してある。このボス部２ａは、また、下部に下方に向け丸みを持って拡径する下方のフランジ部２ｅを有して、主羽根２ｂの基部側を前記の安全隙間Ｓを持って覆い、多孔容器１内の米３が回転羽根２の全体で無闇に撹乱されるのを防止し、副羽根２ｃによる有効な働きを受けやすくしている。
【００４１】
以上のような多孔容器１の胴部１ｃの形状と、ガイド軸２ｄの形状とによって、米３は図１に実線矢印で示すような旋回流を形成しながら、図１に破線矢印で示すような対流がスムーズにでき、回転羽根２による働きをむら無く効率よく受けられる。
【００４２】
さらに、本実施例では図２に示すように、交流電源１１によって帯電極１２、１３を所定の極性で働かせるのに、電源回路４４によって、帯電のための高圧発生回路４５と制御回路４６とに必要な直流電源を作って、それらに給電できるようにする。この給電によって制御回路４６が働き、オン、オフ操作とモード設定とに従いモータ２７を駆動し、高圧発生回路４５を働かせる。高圧発生回路４５は制御回路４６によってオンされることによって印加電極１５に＋電位を、印加電極１６に−電位をそれぞれ供給する。この結果、印加電極１５から帯電極１３に＋電位を印加し、印加電極１６から多孔容器１に−電位を印加する。帯電極１２は多孔容器１自体であることによって、帯電対象である糠４などとその米３との流動域まわりから対面しているので、効率良く、ほぼ均一に帯電させやすい利点がある。また、帯電極１３は糠受け容器２５自体であることによって、帯電対象である糠４を発生させ、また、それを外まわりに排出する多孔容器１に対し、その外まわりを覆うようにして対面するので、多孔容器１内から排出される糠４はもとより、多孔容器１に付着し、また多孔容器１内に米３とともに流動している糠４であっても、これを多孔容器１の透孔１ａを通じてほぼ漏れなく吸引し、米３および多孔容器１から分離させて吸着し、集塵することができる。従って、帯電極１３である糠受け容器２５を多孔容器１よりも低く設けて、糠４の上への飛散や舞い上がりを防止するようにしても、糠４の分離、集塵機能は低下しない。
【００４３】
もっとも、多孔容器１などを帯電極１２とした糠４に対する強制帯電は、澱粉質など他の微粒子、超微粒子にも及ぶので、透孔１ａを通過できる大きさのものはそれらも同様に吸引し、集塵することができ、無洗米化操作に特に好適である。また、強制帯電は米３にも及ぶが透孔１ａを通過しないので、問題はない。むしろ、多孔容器１内で材質の違いから目的極性と逆に自然帯電するものがあるとしても、それらを目的極性となるように強制帯電することで、透孔１ａを通過できる各種の異物を確実に分離し集塵することができる。
【００４４】
印加電極１６は本体１７における凹部２４内に内向きに突出させて、多孔容器１が装着されるとそのフランジ４１ｂが印加電極１６の上に載って電気的に接続され、所定極性の電圧の印加を受けられるようにしている。この接続が確実かつ安定に達成されるように印加電極１６は上向きにばね付勢したフローティング支持状態にして、多孔容器１に圧接し、また、載置高さのばらつきを吸収するようにするのが好適である。
【００４５】
印加電極１５は本体１７における凹部２４の底部内に上向きに突出させてそこに装着された糠受け容器２５と電気的な接続が行われるようにしている。このために、印加電極１５は補助容器２６の底部を貫通している。また、印加電極１５はばね５１により上方に付勢してフローティング支持し、糠受け容器２５に圧接して双方の接続が確実で安定するようにしてある。また、糠受け容器２５の装着がないと、印加電極１５がばね５１によって押し上げられて図１、図２に示す安全スイッチ５２がオフするようにしてある。この安全スイッチ５２は図２に示すように高圧発生回路４５への給電回路に位置して、安全スイッチ５２のオフにより高圧発生回路４５に給電できなくするので、印加電極１５、１６への電圧の供給はなく、帯電極１２、１３である多孔容器１および糠受け容器２５はいずれも働かない状態になる。
【００４６】
さらに、図１、図２に示すように、本体１７の肩部１７ｂにおける凹部２４の開口２４ａまわりの上部に、蓋６が装着されるとオンされる安全スイッチ５３を設けてある。このスイッチ５３は図２に示すように電源回路４４への給電回路に位置して、蓋６の装着がないと電源回路４４への給電をできなくするので、操作パネル４０でのメインスイッチによる動作を開始するオン操作すらできないので、蓋６がない状態での使用を阻止することができるし、蓋６の装着がないことに気付かせやすい。
【００４７】
なお、多孔容器１および集塵部５の装着があって初めて、印加電極１５、１６に電圧が供給されるようになるので、印加電極１５、１６のいずれも多孔容器１などで覆われた状態でしか電圧の供給を受けない状態となる。帯電極１２となる多孔容器１は米３と接触する個所の全域を金属製として効率のよい帯電極１２となるようにするのが糠４類の分離に好適であるが、帯電極１３となる糠受け容器２５は部分的に金属製として帯電極１３となるようにし、糠４類を部分的吸引しながら糠受け容器２５全体に集塵するようにしても、十分な糠４の分離とその集塵効果が得られる。また、回転羽根２も帯電極１２に利用することができ、この場合も金属製とするのが好適である。操作パネル４０での操作開始操作、つまりスイッチによるモータ２７のオン操作に連動して印加電極１５、１６により電圧の印加とが行われるようにすると、双方に時間の差がなく好適である。従って、モータ２７の停止による精米操作終了に際しても、それと同時に印加電極１５、１６による電圧印加も終了するようにするのが好適である。
【００４８】
【発明の効果】
本発明の１つの特徴の精米機によれば、多孔容器内に入れた米に回転羽根を働かせて精米またはおよび無洗米化を行うのに、逆極性で働く帯電極により多孔容器内で生じる糠と集塵部とを逆極性に強制帯電させるので、糠と集塵部とに所定の電位差を安定して与え、多孔容器内で生じる糠を多孔容器の透孔を通じ集塵部側に吸引して、多孔容器内の米および多孔容器から静電的に確実に分離し、同時に、集塵部に集塵することができ、無洗米化に特に有効である。また、多孔容器の手入れも簡単になる。しかも、帯電極は交流電源によって働くので、家庭の電源コンセントからの給電によって手軽に使用することができ、構造が簡単で使用しやすく安価なものとなる。
【００４９】
帯電極は多孔容器および集塵部とは別のものとして設けることはできる。しかし、一方の帯電極が多孔容器、他方の帯電極が集塵部である、さらなる構成によれば、
多孔容器自体、集塵部自体でその条件を満足することができ、特別な部材が要らないので、構造がより簡単でより安価なものとなる。また、帯電電荷の印加に好適な金属製として問題がなく好適である。
【００５０】
多孔容器から隔離された領域にて行う、さらなる構成によれば、
集塵部と印加電極との電気的な接続を多孔容器から隔離された領域にて行うので、多孔容器側で生じる糠が、前記静電的な分離、集塵にかかわらず、一部まわりに飛散するようなことがあっても、集塵部と印加電極との間に入り込んだり、付着したりするのを防止するので、双方の電気的な接続を常に確保することができる。
【００５１】
着脱できる多孔容器を精米機の本体に装着することで行う、さらなる構成によれば、
多孔容器の装着がないのに、それを帯電させる印加電極が無駄に働かされるようなことを防止することができる。
【００５２】
集塵部を多孔容器よりも低く設ける、さらなる構成によれば、
多孔容器内で生じる糠を多孔容器よりも低い集塵部に吸引して、分離、集塵をするので、多孔容器内で生じる糠が上部に飛散するのを抑制または阻止することができ、糠が蓋まわりに付着したり、蓋を省略する場合に外部に飛散したりするようなことを防止することができる。
【００５３】
糠は−帯電、集塵部は＋帯電である、さらなる構成によれば、
強制帯電させるにも、糠が通常−帯電されることを利用して必要な印加電圧を低減して、集塵部との所定の電位差を確保しやすくすることができる。
【００５４】
多孔容器および集塵部は着脱でき、集塵部の装着によって各帯電極への電圧印加が行えるようにする、さらなる構成によれば、
多孔容器の装着があっても集塵部の装着がないとき、各帯電極が働かなくするので、集塵部がないのに精米操作が行われて、集塵部のない部分に糠の分離、集塵が行われたり、帯電極自体である集塵部の装着がなく、糠の分離、集塵作用のない状態で精米操作が行われたりする不都合を回避することができる。
【００５５】
本発明の他の特徴の精米機によれば、多孔容器内に入れた米に回転羽根を働かせて精米またはおよび無洗米化を行うのに、多孔容器内で生じる糠が自然帯電またはおよび帯電極によって強制帯電されるのに対し、集塵部をそれと逆極性に強制帯電させるので、糠と集塵部とに所定の電位差を安定して与え、多孔容器内で生じる糠を多孔容器の透孔を通じ集塵部側に吸引して、多孔容器内の米および多孔容器から静電的に確実に分離し、同時に、集塵部に集塵することができ、無洗米化に特に有効である。また、多孔容器の手入れも簡単になる。しかも、帯電極は交流電源によって働くので、家庭の電源コンセントからの給電によって手軽に使用することができ、構造が簡単で使用しやすく安価なものとなる。
【図面の簡単な説明】
【図１】本発明に係る精米機の１つの実施例を示す断面図である。
【図２】図１の洗米機の制御回路のブロック図である。
【符号の説明】
１  多孔容器
１ａ  透孔
２  回転羽根
３  米
４  糠
５  集塵部
６  蓋
１１  交流電源
１２、１３  帯電極
１５、１６  印加電極
１７  本体
２２  駆動機構
２４  凹部
２５  糠受け容器
２６  補助容器
３３  駆動側カップリング
３４  従動側カップリング
４０  操作パネル
４４  電源回路
４５  高圧発生回路
４６  制御回路
５２、５３  安全スイッチ
【図１】
2004290816.tif 000003
【図２】
2004290816.tif 000004